(57)【要約】【課題】  構成部品点数が少数の簡単な構造で、しかもスペースの狭い箇所での容易な作業を可能とし、作業中にホースクランプリングが外れて飛ぶような事故を未然に防ぐようにしたホースクランプリング用工具を提供する。【解決手段】  一端がヒンジ２によって開閉可能に連結されておりホースクランプリングを把持するための半円形よりなる一対のホルダ１ａ、１ｂと、前記一方のホルダ１ａの他端と一体的に延在した固定のグリップ３と、前記他方のホルダ１ｂの他端に着脱可能に装着した可動のグリップ４とからなり、前記固定のグリップ３には前記ホースクランプリングのロック用爪をロック穴に係脱させるためのスライダ６とこのスライダ６を作動するレバー７とによるロック及びアンロック操作手段を備えた。【選択図】        図１
2005088135.tif 000002
【特許請求の範囲】
【請求項１】
一端にロック用爪を備え他端に前記ロック用爪を係止するためのロック穴を備えたホースクランプリングをホースに取り付け及び取り外すための工具であって、一端がヒンジによって開閉可能に連結されており前記ホースクランプリングを把持するための一対のホルダと、前記ホルダを開閉するための固定のグリップと可動のグリップとからなり、前記固定のグリップには前記ホースクランプリングのロック用爪をロック穴に係脱させるためのスライダとこのスライダを進退作動するレバーとによるロック及びアンロック操作手段を備えたことを特徴とするホースクランプリング用工具。
【発明の詳細な説明】
【技術分野】
【０００１】
本発明は、ホースを固定部に接続するためのホースクランプリング用工具に関するものである。
【背景技術】
【０００２】
自動車のラジエータホースの接続はホースクランプリングで締め付けている。このホースクランプリングをホースに取り付け及び取り外すための工具としては下記の特許文献１及び２で提供されている。
【０００３】
これらは、構造が複雑で部品点数が多く、しかも、一対のグリップはペンチやプライヤのように先端から後端まで一体物である。従って、スペースの狭い箇所での作業ではグリップが周辺部材と干渉して容易に作業ができない問題があった。また、ホースクランプリングを把持する部材が存在していないため、作業中にホースクランプリングが外れて飛ぶことがある。
【特許文献１】実開平５−７２３７９号公報
【特許文献１】実公平６−３９９００号公報
【発明の開示】
【発明が解決しようとする課題】
【０００４】
本発明は、構成部品点数が少数の簡単な構造で、しかもスペースの狭い箇所での容易な作業を可能とし、作業中にホースクランプリングが外れて飛ぶような事故を未然に防ぐようにしたホースクランプリング用工具を提供することである。
【課題を解決するための手段】
【０００５】
上記の目的を達成するための本発明は、請求項１に記載の通り、一端にロック用爪を備え他端に前記ロック用爪を係止するためのロック穴を備えたホースクランプリングをホースに取り付け及び取り外すための工具であって、一端がヒンジによって開閉可能に連結されており前記ホースクランプリングを把持するための一対のホルダと、前記ホルダを開閉するための固定のグリップと可動のグリップとからなり、前記固定のグリップには前記ホースクランプリングのロック用爪をロック穴に係脱させるためのスライダとこのスライダを進退作動するレバーとによるロック及びアンロック操作手段を備えたことを特徴とするものである。
【発明の効果】
【０００６】
本発明によると、簡単な構造によりホースクランプリングの取り付け及び取り外し作業が安全かつ容易に行うことができ、特に狭いスペースでの作業にも対応可能としている効果を有しているものである。
【発明を実施するための最良の形態】
【０００７】
以下本発明を実施するための最良の形態について図面に基づいて説明する。図１において、１ａ、１ｂは一端がヒンジ２によって開閉可能に連結されており図２で示すホースクランプリング８を把持するための半円形よりなる一対のホルダである。この一対のホルダ１ａ、１ｂの内面には把持したホースクランプリング８を位置決めするためのロケーション１１が形成されている。
【０００８】
前記ホースクランプリング８は一端にロック用爪９を備え他端に前記ロック用爪９が係止されるロック穴を備えたフランジ１０が形成されている周知のものである。
【０００９】
前記一方のホルダ１ａの他端には、このホルダ１ａと一体的に延在した固定のグリップ３が設けられており、他方のホルダ１ｂの他端には、このホルダ１ｂの他端に連結部５を介して着脱可能とする可動のグリップ４が設けられている。尚、両方のグリップ３、４を可動のグリップとしてもよい。
【００１０】
さらに、前記固定のグリップ３には前記ホースクランプリング８のロック用爪９をロック穴に係脱させるためのロック及びアンロック操作手段を備えている。このロック及びアンロック操作手段は一方のホルダ１ａに近接した固定のグリップ３上に前記一方のホルダ１ａ側と固定のグリップ３の後端方向にスライド可能に設けスライダ６と、このスライダ６に接触する図略のカムを備えたレバー７とから構成され、前記スライダ６にホースクランプリング８のロック用爪９が係合する溝６ａが設けられている。
【００１１】
このロック及びアンロック操作手段は、レバー７を固定のグリップ３の後端方向に倒すことによりカムによってスライダ６を一方のホルダ１ａ側にスライドして溝６ａに係合しているロック用爪９をロック穴に係止するロック作用を行い、また、レバー７を一方のホルダ１ａ側に倒すことによりカムによってスライダ６を固定のグリップ３の後端方向側にスライドして溝６ａに係合しているロック用爪９をロック穴から係止を解除するアンロック作用を行うものである。
【００１２】
上記の通りの構造による本発明のホースクランプリング用工具の作用及び取り扱い手順について説明する。作業スペースが十分である箇所でホースクランプリング８でホースをクランプする場合は、可動のグリップ４を他方のホルダ１ｂの他端に連結した状態で図２で示すように固定のグリップ３を上方に旋回して一方のホルダ１ａをヒンジ２を介して開き、予めホースに嵌挿されているホースクランプリング８を他方のホルダ１ｂにセットする。
【００１３】
次ぎに図３で示すように固定のグリップ３を可動のグリップ４側に旋回して一方のホルダ１ａを閉じ、この一方のホルダ１ａと他方のホルダ１ｂでホースクランプリング８を把持した状態で図４で示すようにレバー７を固定のグリップ３の後端方向に倒す。これによりスライダ６はホルダ１ａの方向に前進スライドして溝６ａに係合しているホースクランプリング８のロック用爪９をロック穴に係止してホースを締め付けてロックする。このホースクランプリング８の取り付けを完了した後は図２のように固定のグリップ３を開いてホースの接続部等から本発明のホースクランプリング用工具を引き抜くことによりホースクランプリング８の取り付け作業を完了する。
【００１４】
作業スペースの狭い箇所での取り付けには図５で示すように可動のグリップ４を他方のホルダ１ｂの他端から外し、この状態でホースクランプリング８を一方のホルダ１ａと他方のホルダ１ｂとで把持して後に可動のグリップ４を他方のホルダ１ｂに連結し、以下前記図３及び図４の手順でホースクランプリング８の取り付けた後に再び可動のグリップ４を他方のホルダ１ｂから外して、固定のグリップ３を開いてホースの接続部等から本発明のホースクランプリング用工具を引き抜くことによりホースクランプリング８の取り付け作業を完了する。この場合、工具にホースクランプリング８をセットする際に可動のグリップ４が取り外されているため、狭いスペースで可動のグリップ４が周辺に干渉することなく作業性を向上する。
【００１５】
また、ホースからホースクランプリング８を取り外す時には、ホルダ１ａ、１ｂでホースに取り付けられているホースクランプリング８を把持し、レバー７をホルダ１ａ、１ｂの方向へ倒すことによりスライダ６は後退スライドして溝６ａに係合しているホースクランプリング８のロック用爪９をロック穴から係止を解除してアンロックし、図５で示すように固定のグリップ３を開いてホースクランプリング８を取り出して後に本発明のホースクランプリング用工具を引き抜くことによりホースクランプリング８の取り外し作業を完了する。
【００１６】
本発明のホースクランプリング用工具は上記のように簡単な操作によりホースクランプリング８の取り付け及び取り外しを行うことができ作業性を大幅に向上する。また、一対のグリップ３、４の一方が一対のホルダ１ａ、１ｂの一方に対し着脱可能としているためにグリップが干渉する狭いスペースでも一方のグリップを取り外すことにより対応を可能とし作業性を向上する。さらに、ホースクランプリング８の取り付け及び取り外しの何れにおいてもホルダ１ａ、１ｂでホースクランプリング８を把持した状態でロック用爪９をロック穴に対しロック及びアンロックするため、作業中にホースクランプリング８が外れて飛ぶような事故を未然に防ぐことができる安全性を有している。
【図面の簡単な説明】
【００１７】
【図１】本発明工具の斜視図
【図２】本発明工具にホースクランプリングをセットする状態の側面図
【図３】本発明工具のグリップを閉じる状態の側面図
【図４】本発明工具によりホースクランプリングをロックする状態の側面図
【図５】本発明工具の一方のグリップをホルダに対し着脱する状態の側面図
【符号の説明】
【００１８】
１ａ    ホルダ
１ｂ    ホルダ
２      ヒンジ
３      固定のグリップ
４      可動のグリップ
５      連結部
６      スライダ
６ａ    溝
８      ホースクランプリング
９      ロック用爪
１０      フランジ
１１      ロケーション
【図１】
2005088135.tif 000003
【図２】
2005088135.tif 000004
【図３】
2005088135.tif 000005
【図４】
2005088135.tif 000006
【図５】
2005088135.tif 000007